【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
統計データを格納する統計データベースと、
地図の画像データを格納する地図情報データベースと、
店舗情報を格納する店舗データベースと、
顧客情報を格納する顧客データベースと、
地図の画像データを補完する地図情報、顧客情報、店舗情報を前記地図情報データベース、前記顧客データベース、前記店舗データベースにアップロードし、統計データ、顧客情報、店舗情報に基づいて為された顧客又は／及び店舗の分析結果を関連する地図の画像データ上に関連する地図情報と共に表示する高度クライアントと、
顧客又は／及び店舗の分析結果を関連する地図の画像データ上に関連する地図情報と共に表示する簡易クライアントと、
前記高度クライアントからアップロードされる地図情報を前記地図情報データベースの地図の画像データに関連付けて前記地図情報データベースに格納する手段と、
前記高度クライアントからアップロードされた店舗情報を対応する前記店舗データベースに格納する手段と、
前記高度クライアントからアップロードされた顧客情報を対応する前記顧客データベースに格納する手段と、
前記地図の画像データの格納先と顧客又は／及び店舗の分析に用いられる顧客情報、店舗情報のキーとなる分析データとを地図情報対応テーブルに設定する手段と、
前記高度クライアント又は前記簡易クライアントからの特定地域の地図表示要求に対して該当する地図の画像データと関連する地図情報を表示出力すると共に、前記高度クライアント又は前記簡易クライアントからの要求によって前記統計データベースから統計データを表示出力し、前記地図情報対応テーブルを参照して地図の画像データに対応する分析データがあれば、当該分析データに対応する顧客情報、店舗情報を前記顧客データベース、店舗データベースから検索して読み取って前記高度クライアント又は前記簡易クライアントに表示出力する手段とを有するサーバとを有することを特徴とする地図情報システム。
【請求項２】
高度クライアントは、顧客又は／及び店舗の分析についてのコメントをサーバにアップロードし、
サーバは、前記アップロードされたコメントを地図情報データベースの地図の画像データに関連付けて地図情報対応テーブルに格納する手段と、
簡易クライアントに地図の画像データを表示する際に、前記地図情報対応テーブルを参照して地図の画像データに対応するコメントがあれば、当該コメントを前記高度クライアント又は簡易クライアントに表示出力する手段とを有することを特徴とする請求項１記載の地図情報システム。
【請求項３】
高度クライアントは、顧客又は／及び店舗の売上情報をサーバにアップロードし、
サーバは、前記高度クライアントからアップロードされた店舗の売上情報を対応する店舗データベースに格納する手段と、
前記高度クライアントからアップロードされた顧客の売上情報を対応する顧客データベースに格納する手段と、
地図の画像データの格納先と顧客又は／及び店舗の分析に用いられる顧客又は及び店舗も売上情報のキーとなる分析データとを地図情報対応テーブルに設定する手段と、
前記地図情報対応テーブルを参照して地図の画像データに対応する分析データがあれば、当該分析データに対応する顧客又は／及び店舗の売上情報を前記顧客データベース又は／及び店舗データベースから検索して読み取って前記高度クライアント又は簡易クライアントに表示出力する手段とを有することを特徴とする請求項１又は２記載の地図情報システム。
【請求項４】
高度クライアントは、顧客又は／及び店舗の分析処理を行い、分析結果をサーバにアップロードするものであることを特徴とする請求項１乃至３のいずれか記載の地図情報システム。
【請求項５】
高度クライアントは、デシル分析、ＰＦＭ分析、重回帰分析又はハフモデルを用いた売上予測の分析を行うことを特徴とする請求項４記載の地図情報システム。
【手続補正２】
【補正対象書類名】明細書
【補正対象項目名】０００７
【補正方法】変更
【補正の内容】
【０００７】
上記従来例の問題点を解決するための本発明は、地図情報システムにおいて、統計データを格納する統計データベースと、地図の画像データを格納する地図情報データベースと、店舗情報を格納する店舗データベースと、顧客情報を格納する顧客データベースと、地図の画像データを補完する地図情報、顧客情報、店舗情報を地図情報データベース、顧客データベース、店舗データベースにアップロードし、統計データ、顧客情報、店舗情報に基づいて為された顧客又は／及び店舗の分析結果を関連する地図の画像データ上に関連する地図情報と共に表示する高度クライアントと、顧客又は／及び店舗の分析結果を関連する地図の画像データ上に関連する地図情報と共に表示する簡易クライアントと、高度クライアントからアップロードされる地図情報を地図情報データベースの地図の画像データに関連付けて地図情報データベースに格納する手段と、高度クライアントからアップロードされた店舗情報を対応する店舗データベースに格納する手段と、高度クライアントからアップロードされた顧客情報を対応する顧客データベースに格納する手段と、地図の画像データの格納先と顧客又は／及び店舗の分析に用いられる顧客情報、店舗情報のキーとなる分析データとを地図情報対応テーブルに設定する手段と、高度クライアント又は簡易クライアントからの特定地域の地図表示要求に対して該当する地図の画像データと関連する地図情報を表示出力すると共に、高度クライアント又は簡易クライアントからの要求によって統計データベースから統計データを表示出力し、地図情報対応テーブルを参照して地図の画像データに対応する分析データがあれば、当該分析データに対応する顧客情報、店舗情報を顧客データベース、店舗データベースから検索して読み取って高度クライアント又は簡易クライアントに表示出力する手段とを有するサーバとを有することを特徴とする。
【手続補正３】
【補正対象書類名】明細書
【補正対象項目名】０００８
【補正方法】変更
【補正の内容】
【０００８】
本発明は、上記地図情報システムにおいて、高度クライアントは、顧客又は／及び店舗の分析についてのコメントをサーバにアップロードし、サーバは、アップロードされたコメントを地図情報データベースの地図の画像データに関連付けて地図情報対応テーブルに格納する手段と、簡易クライアントに地図の画像データを表示する際に、地図情報対応テーブルを参照して地図の画像データに対応するコメントがあれば、当該コメントを高度クライアント又は簡易クライアントに表示出力する手段とを有することを特徴とする。
【手続補正４】
【補正対象書類名】明細書
【補正対象項目名】０００９
【補正方法】変更
【補正の内容】
【０００９】
本発明は、上記地図情報システムにおいて、高度クライアントは、顧客又は／及び店舗の売上情報をサーバにアップロードし、サーバは、高度クライアントからアップロードされた店舗の売上情報を対応する店舗データベースに格納する手段と、高度クライアントからアップロードされた顧客の売上情報を対応する顧客データベースに格納する手段と、地図の画像データの格納先と顧客又は／及び店舗の分析に用いられる顧客又は及び店舗も売上情報のキーとなる分析データとを地図情報対応テーブルに設定する手段と、地図情報対応テーブルを参照して地図の画像データに対応する分析データがあれば、当該分析データに対応する顧客又は／及び店舗の売上情報を顧客データベース又は／及び店舗データベースから検索して読み取って高度クライアント又は簡易クライアントに表示出力する手段とを有することを特徴とする。
【手続補正５】
【補正対象書類名】明細書
【補正対象項目名】００１０
【補正方法】変更
【補正の内容】
【００１０】
本発明は、上記地図情報システムにおいて、高度クライアントは、顧客又は／及び店舗の分析処理を行い、分析結果をサーバにアップロードするものであることを特徴とする。
【手続補正６】
【補正対象書類名】明細書
【補正対象項目名】００１１
【補正方法】変更
【補正の内容】
【００１１】
本発明は、上記地図情報システムにおいて、高度クライアントは、デシル分析、ＰＦＭ分析、重回帰分析又はハフモデルを用いた売上予測の分析を行うことを特徴とする。
【手続補正７】
【補正対象書類名】明細書
【補正対象項目名】００１２
【補正方法】変更
【補正の内容】
【００１２】
本発明によれば、統計データを格納する統計データベースと、地図の画像データを格納する地図情報データベースと、店舗情報を格納する店舗データベースと、顧客情報を格納する顧客データベースと、地図の画像データを補完する地図情報、顧客情報、店舗情報を地図情報データベース、顧客データベース、店舗データベースにアップロードし、統計データ、顧客情報、店舗情報に基づいて為された顧客又は／及び店舗の分析結果を関連する地図の画像データ上に関連する地図情報と共に表示する高度クライアントと、顧客又は／及び店舗の分析結果を関連する地図の画像データ上に関連する地図情報と共に表示する簡易クライアントと、高度クライアントからアップロードされる地図情報を地図情報データベースの地図の画像データに関連付けて地図情報データベースに格納する手段と、高度クライアントからアップロードされた店舗情報を対応する店舗データベースに格納する手段と、高度クライアントからアップロードされた顧客情報を対応する顧客データベースに格納する手段と、地図の画像データの格納先と顧客又は／及び店舗の分析に用いられる顧客情報、店舗情報のキーとなる分析データとを地図情報対応テーブルに設定する手段と、高度クライアント又は簡易クライアントからの特定地域の地図表示要求に対して該当する地図の画像データと関連する地図情報を表示出力すると共に、高度クライアント又は簡易クライアントからの要求によって統計データベースから統計データを表示出力し、地図情報対応テーブルを参照して地図の画像データに対応する分析データがあれば、当該分析データに対応する顧客情報、店舗情報を顧客データベース、店舗データベースから検索して読み取って高度クライアント又は簡易クライアントに表示出力する手段とを有するサーバとを有する地図情報システムとしているので、簡易クライアントは高度クライアントからアップロードされた地図情報と地図の画像データ、統計データ、地図情報に対応する顧客情報、店舗情報を閲覧できる効果がある。
【手続補正８】
【補正対象書類名】明細書
【補正対象項目名】００１３
【補正方法】変更
【補正の内容】
【００１３】
本発明によれば、高度クライアントは、顧客又は／及び店舗の分析についてのコメントをサーバにアップロードし、サーバは、アップロードされたコメントを地図情報データベースの地図の画像データに関連付けて地図情報対応テーブルに格納する手段と、簡易クライアントに地図の画像データを表示する際に、地図情報対応テーブルを参照して地図の画像データに対応するコメントがあれば、当該コメントを高度クライアント又は簡易クライアントに表示出力する手段とを有する上記地図情報システムとしているので、簡易クライアントは地図の画像データに対応した高度クライアントのコメントがアップロードされていれば、そのコメントを参照できる効果がある。
【手続補正９】
【補正対象書類名】明細書
【補正対象項目名】００１４
【補正方法】変更
【補正の内容】
【００１４】
本発明によれば、高度クライアントは、顧客又は／及び店舗の売上情報をサーバにアップロードし、サーバは、高度クライアントからアップロードされた店舗の売上情報を対応する店舗データベースに格納する手段と、高度クライアントからアップロードされた顧客の売上情報を対応する顧客データベースに格納する手段と、地図の画像データの格納先と顧客又は／及び店舗の分析に用いられる顧客又は及び店舗も売上情報のキーとなる分析データとを地図情報対応テーブルに設定する手段と、地図情報対応テーブルを参照して地図の画像データに対応する分析データがあれば、当該分析データに対応する顧客又は／及び店舗の売上情報を顧客データベース又は／及び店舗データベースから検索して読み取って高度クライアント又は簡易クライアントに表示出力する手段とを有する上記地図情報システムとしているので、簡易クライアントは高度クライアントから地図の画像データに対応した顧客又は店舗の売上情報がアップロードされていれば、その売上情報を参照できる効果がある。
【手続補正１０】
【補正対象書類名】明細書
【補正対象項目名】００１５
【補正方法】変更
【補正の内容】
【００１５】
本発明によれば、高度クライアントは、顧客又は／及び店舗の分析処理を行い、分析結果をサーバにアップロードする上記地図情報システムとしているので、高度クライアントでの分析結果を簡易クライアントに提供できる効果がある。